(57)【要約】【課題】乗物用シートフレームを構成するパネルフレーム上に複数の凹部を適切に設定できるようにすること。【解決手段】シートパッドを裏側から面状に支持するパネルフレーム１０は、天板メイン２Ａ内のシート幅方向の中央位置Ｃに裏側に凹んで形成されたシート高さ方向に延びる第１凹部１１と、第１凹部１１を挟むシート幅方向の２箇所の位置に裏側に凹んで形成された一対の第２凹部１２と、一対の第２凹部１２と第１凹部１１とを互いに連続した凹形状に繋ぐ繋ぎ凹部１３と、を有する。【選択図】図２
2020079031.tif 000002
【特許請求の範囲】
【請求項１】
シートパッドを裏側から面状に支持するパネルフレームを備えた乗物用シートフレームであって、
前記パネルフレームが、
天板メイン内のシート幅方向の中央位置に裏側に凹んで形成されたシート幅方向とは交差する面内方向に延びる第１凹部と、
該第１凹部を挟むシート幅方向の２箇所の位置に裏側に凹んで形成された一対の第２凹部と、
当該一対の第２凹部と前記第１凹部とを互いに連続した凹形状に繋ぐ繋ぎ凹部と、を有する乗物用シートフレーム。
【請求項２】
請求項１に記載の乗物用シートフレームであって、
前記一対の第２凹部が、それぞれ、前記パネルフレームの裏側を通る別のフレームに当てられて結合される座部とされる乗物用シートフレーム。
【請求項３】
請求項１又は請求項２に記載の乗物用シートフレームであって、
前記パネルフレームのシート幅方向で切った横断面が、前記天板メイン内のシート幅方向の中央位置が最も裏側に張り出す弓なりの凹湾曲面形状とされる乗物用シートフレーム。
【請求項４】
請求項１から請求項３のいずれかに記載の乗物用シートフレームであって、
前記パネルフレームが、シートバックのフレームとされ、
前記第１凹部が、着座乗員の背骨の当たりを低減する座圧低減部とされる乗物用シートフレーム。
【発明の詳細な説明】
【技術分野】
【０００１】
本発明は、乗物用シートフレームに関する。詳しくは、シートパッドを裏側から面状に支持するパネルフレームを備えた乗物用シートフレームに関する。
【背景技術】
【０００２】
従来、乗物用シートフレームとして、シートクッションのパネルフレームに、座骨結節部直下の体圧を逃がすための逃がし部が形成された構成が知られている（特許文献１）。上記逃がし部は、上記パネルフレームの座骨結節部直下となる左右２箇所の位置に凹部又は孔部として形成されている。
【先行技術文献】
【特許文献】
【０００３】
【特許文献１】特開２００１−２８６３６５号公報
【発明の概要】
【発明が解決しようとする課題】
【０００４】
上記従来技術では、両逃がし部の間にビード等の別の凹状部が設定される場合、両者の間に十分な離間幅を確保できず、各々の成形性が悪化したり各々の境界部が異物感の感じやすい狭小形状となったりするおそれがある。本発明は、上述した問題を解決するものとして創案されたものであって、本発明が解決しようとする課題は、乗物用シートフレームを構成するパネルフレーム上に複数の凹部を適切に設定できるようにすることにある。
【課題を解決するための手段】
【０００５】
上記課題を解決するために、本発明の乗物用シートフレームは次の手段をとる。
【０００６】
すなわち、本発明の乗物用シートフレームは、シートパッドを裏側から面状に支持するパネルフレームを備えた乗物用シートフレームである。パネルフレームが、天板メイン内のシート幅方向の中央位置に裏側に凹んで形成されたシート幅方向とは交差する面内方向に延びる第１凹部と、第１凹部を挟むシート幅方向の２箇所の位置に裏側に凹んで形成された一対の第２凹部と、一対の第２凹部と第１凹部とを互いに連続した凹形状に繋ぐ繋ぎ凹部と、を有する。
【０００７】
上記構成によれば、第１凹部とその両サイドに形成される一対の第２凹部とが、繋ぎ凹部により互いにひと繋ぎの凹形状に形成される。そのようなことから、これらの凹形状の間に狭小な境界形状が形成されなくなる。したがって、これらの凹形状をひとまとめに成形性良く形成することができる。また、パネルフレームを異物感の感じられにくいフレーム形状に形成することができる。
【０００８】
また、本発明の乗物用シートフレームは、更に次のように構成されていてもよい。一対の第２凹部が、それぞれ、パネルフレームの裏側を通る別のフレームに当てられて結合される座部とされる。
【０００９】
上記構成によれば、第１凹部及び一対の第２凹部の成形性とパネルフレームの体圧分散性とを確保しつつ、一対の第２凹部を座部として適切に機能させられる大きさや形に設定することができる。
【００１０】
また、本発明の乗物用シートは、更に次のように構成されていてもよい。パネルフレームのシート幅方向で切った横断面が、天板メイン内のシート幅方向の中央位置が最も裏側に張り出す弓なりの凹湾曲面形状とされる。
【００１１】
上記構成によれば、凹湾曲面形状を成すパネルフレームに対して、第１凹部と一対の第２凹部とを成形性良く、かつ、パネルフレームの体圧分散性を阻害しない形に形成することができる。特に、一対の第２凹部がパネルフレームの裏側を通る別のフレームに当てられて結合される座部とされる場合には、これら第２凹部を裏側への絞り込み量の少ないシート幅方向の中央寄りの位置に形成しても、第１凹部との間に狭小な境界形状が形成されなくなるため有効である。
【００１２】
また、本発明の乗物用シートは、更に次のように構成されていてもよい。パネルフレームが、シートバックのフレームとされる。第１凹部が、着座乗員の背骨の当たりを低減する座圧低減部とされる。
【００１３】
上記構成によれば、第１凹部によりパネルフレームによる着座乗員の背部の体圧分散性を適切に高めることができる。
【図面の簡単な説明】
【００１４】
【図１】第１の実施形態に係る乗物用シートフレームの概略構成を表した斜視図である。
【図２】シートバックのフレーム構造を表した斜視図である。
【図３】同正面図である。
【図４】図３のIV-IV線断面図である。
【図５】図３のV-V線断面図である。
【発明を実施するための形態】
【００１５】
以下に、本発明を実施するための形態について、図面を用いて説明する。
【００１６】
《第１の実施形態》
始めに、本発明の第１の実施形態に係る乗物用シートフレームの構成について、図１〜図５を用いて説明する。なお、以下の説明において、前後上下左右等の各方向を示す場合には、各図中に示されたそれぞれの方向を指すものとする。また、「シート幅方向」等、各方向に「シート」を付して示す場合には、後述するシート１を基準とした各方向を指すものとする。例えば、「シート幅方向」と示す場合には、シート１の左右方向を指す。
【００１７】
本実施形態に係る乗物用シートフレームは、図１に示すように、航空機の座席を成すシート１に適用されている。上記シート１は、着座乗員の背凭れ部となるシートバック２と、着座部となるシートクッション３と、を備える。上記シートバック２は、その着座乗員の背部を支える天板メイン２Ａの上部領域に着座乗員の頭凭れ部となるヘッドレスト部２Ｈを備えた、いわゆるハイバックタイプの構成とされている。
【００１８】
上記シートバック２は、その骨格を成す金属製のバックフレーム２Ｆと、同バックフレーム２Ｆの前部に組み付けられた発泡ウレタン製のバックパッド２Ｐと、これらをひとまとめに外周側から覆うファブリック製のバックカバー２Ｃと、を備える。上記バックフレーム２Ｆは、鉄板プレス品から成るパネルフレーム１０を備え、同パネルフレーム１０によりバックパッド２Ｐを広く裏側（後側）から面状に支持する。ここで、上記バックフレーム２Ｆが、本発明の「乗物用シートフレーム」に相当する。また、バックパッド２Ｐが、本発明の「シートパッド」に相当する。
【００１９】
バックパッド２Ｐは、上記バックフレーム２Ｆに対して前側から広く全体を包み込む形に組み付けられている。それにより、バックパッド２Ｐは、上記バックフレーム２Ｆにより後側から広く面状に支持されて、着座乗員の背凭れ荷重を弾性的に受け止めるようになっている。
【００２０】
バックカバー２Ｃは、上記組み付けられたバックパッド２Ｐ及びバックフレーム２Ｆにシート上方から袋状に被せられてセットされている。それにより、バックカバー２Ｃは、シートバック２の外観意匠を成すと共に、バックパッド２Ｐをバックフレーム２Ｆに組み付けた状態に位置保持している。
【００２１】
上記バックフレーム２Ｆは、図２〜図３に示すように、面状のパネルフレーム１０と、同パネルフレーム１０の外周部を支持する枠状のパイプフレーム２０と、により構成される。上記パイプフレーム２０は、金属製の角管材が枠状に組まれて構成される。具体的には、パイプフレーム２０は、１本の角管材が正面視逆Ｕ字状の形に曲げ加工された逆Ｕ字パイプ２１と、同逆Ｕ字パイプ２１の両脚部間に一体的に架橋された１本のストレートな角管材から成るロアパイプ２２と、から成る。
【００２２】
パネルフレーム１０は、その左右と上側の外周部が、上記パイプフレーム２０の左右と上側の枠部分にそれぞれ前側から当てられて一体的にリベット結合されている（図４〜図５参照）。また、パネルフレーム１０は、そのシート幅方向の中央下部に形成された左右一対の第２凹部１２が、それぞれ、これらの裏側（シート後側）を通る前出のロアパイプ２２に前側から面当接した状態に当てられて、リベットＲにより一体的に結合されている（図４参照）。上記各組付けにより、パネルフレーム１０は、その略全周囲がパイプフレーム２０によって裏側から支持された状態とされている。ここで、上記ロアパイプ２２が、本発明の「別のフレーム」に相当する。
【００２３】
上記パネルフレーム１０は、図２〜図５に示すように、全体が僅かに裏側（シート後側）へ弓なりに凹んだ凹湾曲面形状に形成されている。それにより、パネルフレーム１０は、着座乗員の背中をその形に沿った凹湾曲面形状により広く後側から包み込むように面支持して、良好な体圧分散を行える構成とされている。詳しくは、上記パネルフレーム１０は、図４に示すように、その着座乗員の腰部付近を後側からあてがえる天板メイン２Ａの下部領域が、シート幅方向の中央位置Ｃが最も裏側（シート後側）に張り出す弓なりの凹湾曲面形状となる横断面形状に形成されている。
【００２４】
それに伴い、上記下部領域に形成される左右一対の第２凹部１２は、上記凹湾曲面によって裏側（シート後側）のロアパイプ２２により近づけられた中央寄りの位置に形成されている。それにより、上記一対の第２凹部１２が、これらをパネルフレーム１０から裏側（シート後側）に絞り加工して形成する際の絞り出し量を少なく抑えられる構成とされている。したがって、上記一対の第２凹部１２を、簡便に成形可能かつ構造強度に優れた構成とすることができる。
【００２５】
図２〜図３に示すように、上記一対の第２凹部１２の間には、シート高さ方向（パネルフレーム１０のシート幅方向とは交差する面内方向）に延びる第１凹部１１が形成されている。同第１凹部１１は、天板メイン２Ａ内のシート幅方向の中央位置Ｃにあり、着座乗員の背骨が当たる部分に相当する箇所に形成されている。上記第１凹部１１は、上記各第２凹部１２のシート高さ方向の形成箇所より低い位置から高い位置までストレート状に延びる形状とされている。
【００２６】
上記第１凹部１１と各第２凹部１２とは、互いが繋ぎ凹部１３によって連続した面一状の凹形状に繋がれた形状とされている。それにより、第１凹部１１と各第２凹部１２とは、互いの繋がった形状により略十字の凹形状を成す形に形成されている。上記第１凹部１１と各第２凹部１２とは、互いに略同一の深さに凹んだ形状とされている。上記第１凹部１１は、上記各第２凹部１２間を上側に越えた位置から凹みの深さが傾斜状に浅くなっていく形状とされている。
【００２７】
上記第１凹部１１と各第２凹部１２とは、互いが連続した凹形状とされていることから、これらを１度の絞り加工によってひとまとめに簡便に形成することができるようになっている。詳しくは、上記絞り加工の際には、第１凹部１１と各第２凹部１２との間に狭小な境界形状を設定する必要がないことから、個々を成形性良く形作ることができる。また、第１凹部１１と各第２凹部１２との間に、狭小な境界形状に伴う異物感の感じられやすいフレーム形状が形作られることがない。したがって、パネルフレーム１０を体圧分散性の良いフレーム形状とすることができる。
【００２８】
上記構成のパネルフレーム１０は、図３〜図４に示すように、上述した左右一対の第２凹部１２が、それぞれ、これらの裏側（シート後側）を通る前出のロアパイプ２２に前側から面当接した状態に当てられて、リベットＲにより一体的に結合されている（図４参照）。その際、パネルフレーム１０は、上記左右一対の第２凹部１２とシート幅方向に並んで面一状を成す第１凹部１１も上記ロアパイプ２２に前側から面当接した状態に当てられる（図４〜図５参照）。
【００２９】
以上をまとめると、第１の実施形態に係る乗物用シートフレーム（バックフレーム２Ｆ）は、次のような構成となっている。すなわち、シートパッド（２Ｐ）を裏側から面状に支持するパネルフレーム（１０）を備えた乗物用シートフレーム（２Ｆ）である。パネルフレーム（１０）が、天板メイン（２Ａ）内のシート幅方向の中央位置（Ｃ）に裏側に凹んで形成されたシート幅方向とは交差する面内方向に延びる第１凹部（１１）と、第１凹部（１１）を挟むシート幅方向の２箇所の位置に裏側に凹んで形成された一対の第２凹部（１２）と、一対の第２凹部（１２）と第１凹部（１１）とを互いに連続した凹形状に繋ぐ繋ぎ凹部（１３）と、を有する。
【００３０】
上記構成によれば、第１凹部（１１）とその両サイドに形成される一対の第２凹部（１２）とが、繋ぎ凹部（１３）により互いにひと繋ぎの凹形状に形成される。そのようなことから、これらの凹形状の間に狭小な境界形状が形成されなくなる。したがって、これらの凹形状をひとまとめに成形性良く形成することができる。また、パネルフレーム（１０）を異物感の感じられにくいフレーム形状に形成することができる。
【００３１】
また、一対の第２凹部（１２）が、それぞれ、パネルフレーム（１０）の裏側を通る別のフレーム（２２）に当てられて結合される座部とされる。上記構成によれば、第１凹部（１１）及び一対の第２凹部（１２）の成形性とパネルフレーム（１０）の体圧分散性とを確保しつつ、一対の第２凹部（１２）を座部として適切に機能させられる大きさや形に設定することができる。
【００３２】
また、パネルフレーム（１０）のシート幅方向で切った横断面が、天板メイン（２Ａ）内のシート幅方向の中央位置（Ｃ）が最も裏側に張り出す弓なりの凹湾曲面形状とされる。上記構成によれば、凹湾曲面形状を成すパネルフレーム（１０）に対して、第１凹部（１１）と一対の第２凹部（１２）とを成形性良く、かつ、パネルフレーム（１０）の体圧分散性を阻害しない形に形成することができる。特に、一対の第２凹部（１２）がパネルフレーム（１０）の裏側を通る別のフレーム（２２）に当てられて結合される座部とされる場合には、これら第２凹部（１２）を裏側への絞り込み量の少ないシート幅方向の中央寄りの位置に形成しても、第１凹部（１１）との間に狭小な境界形状が形成されなくなるため有効である。
【００３３】
また、パネルフレーム（１０）が、シートバック（２）のフレームとされる。第１凹部（１１）が、着座乗員の背骨の当たりを低減する座圧低減部とされる。上記構成によれば、第１凹部（１１）によりパネルフレーム（１０）による着座乗員の背部の体圧分散性を適切に高めることができる。
【００３４】
《その他の実施形態について》
以上、本発明の実施形態を１つの実施形態を用いて説明したが、本発明は上記実施形態のほか、以下に示す様々な形態で実施することができるものである。
【００３５】
１．本発明の乗物用シートフレームは、航空機用のシートへの適用に限らず、自動車や鉄道等の車両や船舶等の様々な乗物用に供されるシートにも適用することができるものである。また、パネルフレームは、シートバックの他、シートクッション等の他のシート構造のフレームにも適用可能である。また、パネルフレームは、上記実施形態で示したような凹湾曲面形状から成るものの他、平坦面形状から成るものであっても良い。
【００３６】
２．パネルフレームがシートクッションに適用される場合、例えば一対の第２凹部が着座乗員の座骨結節部直下の体圧を逃がすための逃がし部とされ、これらの間に形成される第１凹部がビード（補強用の絞り形状）とされるものであっても良い。その他、第１凹部及び一対の第２凹部は、体圧分散のための逃がし部として構成されるものであっても良い。また、第１凹部及び一対の第２凹部は、パネルフレームの裏側を通るワイヤハーネス等のシート装備品を固定するものであっても良い。
【００３７】
３．繋ぎ凹部を介して一対の第２凹部間を結ぶ形状のシート幅方向の長さは、第１凹部がシート幅方向とは交差する面内方向に延びる長さよりも長くても良く、短くても良い。また、同一であっても良い。一対の第２凹部は、必ずしも第１凹部を挟むシート幅方向の対称位置に対称形状に形成されていなくても良く、互いに非対称の位置に形成されていても良い。また、非対称形状に形成されていても良い。また、第１凹部及び各第２凹部の凹形状は特定の形に限定されるものではなく、使用目的に応じた種々の形に設定可能である。
【００３８】
４．パネルフレームは、金属製のパネル材に限らず、樹脂製のパネル材から成るものであっても良い。また、パネルフレームは、乗物用シートフレームのメイン骨格を成す枠状のフレームに一体的に結合されるものの他、バネ等の弾性部材を介して弾性的に支持された状態として設けられるものであっても良い。また、パネルフレームは、上記メイン骨格に対して可動機構を介して組み付けられて、可動式のランバサポートの支持板等の可動フレームとして構成されるものであっても良い。
【００３９】
５．パネルフレームの裏側を通って一対の第２凹部が当てられる別のフレームは、シートフレームに限らず、パーティションパネル等の乗物本体側のフレーム材であっても良い。また、上記一対の第２凹部の別のフレームへの結合は、リベット結合の他、溶接やビス締結等の別の結合方法によるものであっても良い。
【符号の説明】
【００４０】
１      シート（乗物用シート）
２      シートバック
２Ａ    天板メイン
２Ｆ    バックフレーム（乗物用シートフレーム）
２Ｐ    バックパッド（シートパッド）
２Ｃ    バックカバー
２Ｈ    ヘッドレスト部
３      シートクッション
１０    パネルフレーム
１１    第１凹部
１２    第２凹部
１３    繋ぎ凹部
２０    パイプフレーム
２１    逆Ｕ字パイプ
２２    ロアパイプ（別のフレーム）
Ｒ      リベット
Ｃ      シート幅方向の中央位置
【図１】
2020079031.tif 000003
【図２】
2020079031.tif 000004
【図３】
2020079031.tif 000005
【図４】
2020079031.tif 000006
【図５】
2020079031.tif 000007